(57)【要約】【課題】バーコード読み取りネットワークマルチメディア名刺整合システムの提供。【解決手段】クライアントが駆動プログラム及びハードウエア設備を設置すると共にネットワークを伝送ツールとし、バーコードスキャナによりクライアントの名刺のバーコードを読み取り、マルチメディア名刺を保存したホームページ整合ステーションに接続し、クライアントデータを取得する。該整合システムはクライアントを暗号でホームページ中に進入させて個人データの登録或いはその他の機能設定の改修を行わせ、いわゆるバーコード読み取りネットワークマルチメディア名刺整合システムを形成し、これにより快速検索と改修に便利なマルチメディア名刺機能を達成する。【選択図】　　　　図１
2004038863.tif 000002
【特許請求の範囲】
【請求項１】
バーコード読み取りネットワークマルチメディア名刺整合システムにおいて、クライアントを暗号でホームページに進入させ、このホームページがマルチメディア総合システムとされて文字、画像、音声を含み、名刺に印刷された個人専属バーコードをユーザーがバーコードスキャナで読み取った後に、ネットワークを介してこのホームページに進入して速やかにクライアントがネットワーク登録した個人データを検索でき、これにより快速検索マルチメディア名刺の機能を達成することを特徴とする、バーコード読み取りネットワークマルチメディア名刺整合システム。
【請求項２】
請求項１に記載のバーコード読み取りネットワークマルチメディア名刺整合システムにおいて、例えば、個人及び会社関係情報の検索、メッセージボックス内容のチェック及び個人友人データベースのサービス項目を拡張できることを特徴とする、バーコード読み取りネットワークマルチメディア名刺整合システム。
【請求項３】
請求項１に記載のバーコード読み取りネットワークマルチメディア名刺整合システムにおいて、クライアントのために、他人による個人データの改修を制限するための暗号装置を具えたことを特徴とする、バーコード読み取りネットワークマルチメディア名刺整合システム。
【請求項４】
請求項１に記載のバーコード読み取りネットワークマルチメディア名刺整合システムにおいて、バーコードがネットワーク伝送ツールが識別できる個人専属コードとされたことを特徴とする、バーコード読み取りネットワークマルチメディア名刺整合システム。
【請求項５】
請求項１に記載のバーコード読み取りネットワークマルチメディア名刺整合システムにおいて、バーコードの上に数字或いは英文字が印刷されて、ユーザーがバーコードスキャンするほか、キーボードを利用した入力により名刺の所有者のホームページデータを検索することができることを特徴とする、バーコード読み取りネットワークマルチメディア名刺整合システム。
【請求項６】
請求項１に記載のバーコード読み取りネットワークマルチメディア名刺整合システムにおいて、ネットワーク伝送ツールがバーコードスキャナ及びインターネット接続用機器で組成されたことを特徴とする、バーコード読み取りネットワークマルチメディア名刺整合システム。
【請求項７】
請求項１に記載のバーコード読み取りネットワークマルチメディア名刺整合システムにおいて、インターネット接続用機器が、パソコン、携帯情報端末或いは無線電話その他の電子装置を媒介として検索、改修を行うことを特徴とする、バーコード読み取りネットワークマルチメディア名刺整合システム。
【請求項８】
請求項１に記載のバーコード読み取りネットワークマルチメディア名刺整合システムにおいて、その使用方法が、
（１）クライアントが駆動プログラム及びハードウエア設備を取り付ける、
（２）クライアントがネットワーク伝送ツールを利用してインターネットに進入する、
（３）バーコードスキャナを利用しバーコードをスキャンし、バーコード読み取りネットワークマルチメディア名刺整合システムに接続する、
（４）クライアントがバーコード読み取りネットワークマルチメディア名刺整合システムにおいて暗号をセルフ構築し並びにノーエラーを確認する、
（５）バーコード読み取りネットワークマルチメディア名刺整合システム中に個人データを書き込み及びその他の機能設定を行う、
（６）登録手続完成、
以上のステップを具えたことを特徴とする、バーコード読み取りネットワークマルチメディア名刺整合システム。
【発明の詳細な説明】
【０００１】
【発明の属する技術分野】
本発明は一種のバーコード読み取りネットワークマルチメディア名刺整合システムに係り、特にユーザーがバーコードスキャナによりクライアントの名刺のバーコードを読み取り、マルチメディア名刺を保存したホームページ整合ステーションに接続し、クライアントデータを取得し、該整合システムがクライアントを暗号でホームページ中に進入させて個人データの登録或いはその他の機能設定の改修を行わせ、これにより快速検索と改修に便利なマルチメディア名刺機能を達成する、バーコード読み取りネットワークマルチメディア名刺整合システムに関する。
【０００２】
【従来の技術】
一般に伝統的な名刺には一部の個人データが印刷され、他人が個人及び会社に関係する情報を了解するのに便利とされており、そのうち、該個人データには姓名、住所、電話番号及びファクシミリ番号等があるが、名刺期に記載できるデータは有限であり、全てのデータ、例えば個人の履歴、趣味、専門背景、写真更には音声を名刺に印刷して人に了解させることは無理である。
【０００３】
一部の会社と業者は顧客と取引先のデータで電子電話帳を構築し検索作業に便利としているが、往々にして電子電話帳を製作するには大量の人力と時間がかかり、且つ製作完成後には、顧客と取引先のデータに誤りがないかをチェック、校正しなければならず、まことに不便であり、また、画像走査で入力したデータは、名刺の内容に由来するものであり、データはなおも有限である。
【０００４】
【発明が解決しようとする課題】
以上を鑑み、上述の周知の名刺の使用方法の不便を改善するため、本発明はバーコード読み取りネットワークマルチメディア名刺整合システムを提供する。
【０００５】
本発明は一種のバーコード読み取りネットワークマルチメディア名刺整合システムを提供することを主要な目的とし、それは、ユーザーが駆動プログラム及びハードウエア設備を設置すると共にネットワークを伝送ツールとし、バーコードスキャナによりクライアントの名刺のバーコードを読み取り、マルチメディア名刺を保存したホームページ整合ステーションに接続し、クライアントデータを取得する。該整合システムはクライアントが暗号でホームページ中に進入して個人データの登録或いはその他の機能設定の改修を行え、並びに暗号をセルフ構築してシステム中に進入して改修を行うことができ、これにより快速検索と改修に便利なマルチメディア名刺機能を達成するシステムであるものとする。
【０００６】
本発明は一種のバーコード読み取りネットワークマルチメディア名刺整合システムを提供することを次の目的とし、それはホームページデータの改修或いはホームページ増加の時、暗号を入力してバーコード読み取りネットワークマルチメディア名刺整合システムが対照してエラー無しと判断してからでなければホームページの改修或いは増加が行えず、安全性が良好な機能を達成できるシステムであるものとする。
【０００７】
【課題を解決するための手段】
請求項１の発明は、バーコード読み取りネットワークマルチメディア名刺整合システムにおいて、クライアントを暗号でホームページに進入させ、このホームページがマルチメディア総合システムとされて文字、画像、音声を含み、名刺に印刷された個人専属バーコードをユーザーがバーコードスキャナで読み取った後に、ネットワークを介してこのホームページに進入して速やかにクライアントがネットワーク登録した個人データを検索でき、これにより快速検索マルチメディア名刺の機能を達成することを特徴とする、バーコード読み取りネットワークマルチメディア名刺整合システムとしている。
請求項２の発明は、請求項１に記載のバーコード読み取りネットワークマルチメディア名刺整合システムにおいて、例えば、個人及び会社関係情報の検索、メッセージボックス内容のチェック及び個人友人データベースのサービス項目を拡張できることを特徴とする、バーコード読み取りネットワークマルチメディア名刺整合システムとしている。
請求項３の発明は、請求項１に記載のバーコード読み取りネットワークマルチメディア名刺整合システムにおいて、クライアントのために、他人による個人データの改修を制限するための暗号装置を具えたことを特徴とする、バーコード読み取りネットワークマルチメディア名刺整合システムとしている。
請求項４の発明は、請求項１に記載のバーコード読み取りネットワークマルチメディア名刺整合システムにおいて、バーコードがネットワーク伝送ツールが識別できる個人専属コードとされたことを特徴とする、バーコード読み取りネットワークマルチメディア名刺整合システムとしている。
請求項５の発明は、請求項１に記載のバーコード読み取りネットワークマルチメディア名刺整合システムにおいて、バーコードの上に数字或いは英文字が印刷されて、ユーザーがバーコードスキャンするほか、キーボードを利用した入力により名刺の所有者のホームページデータを検索することができることを特徴とする、バーコード読み取りネットワークマルチメディア名刺整合システムとしている。
請求項６の発明は、請求項１に記載のバーコード読み取りネットワークマルチメディア名刺整合システムにおいて、ネットワーク伝送ツールがバーコードスキャナ及びインターネット接続用機器で組成されたことを特徴とする、バーコード読み取りネットワークマルチメディア名刺整合システムとしている。
請求項７の発明は、請求項１に記載のバーコード読み取りネットワークマルチメディア名刺整合システムにおいて、インターネット接続用機器が、パソコン、携帯情報端末或いは無線電話その他の電子装置を媒介として検索、改修を行うことを特徴とする、バーコード読み取りネットワークマルチメディア名刺整合システムとしている。
請求項８の発明は、請求項１に記載のバーコード読み取りネットワークマルチメディア名刺整合システムにおいて、その使用方法が、
（１）クライアントが駆動プログラム及びハードウエア設備を取り付ける、
（２）クライアントがネットワーク伝送ツールを利用してインターネットに進入する、
（３）バーコードスキャナを利用しバーコードをスキャンし、バーコード読み取りネットワークマルチメディア名刺整合システムに接続する、
（４）クライアントがバーコード読み取りネットワークマルチメディア名刺整合システムにおいて暗号をセルフ構築し並びにノーエラーを確認する、
（５）バーコード読み取りネットワークマルチメディア名刺整合システム中に個人データを書き込み及びその他の機能設定を行う、
（６）登録手続完成、
以上のステップを具えたことを特徴とする、バーコード読み取りネットワークマルチメディア名刺整合システムとしている。
【０００８】
【発明の実施の形態】
図１、５は本発明のブロック図及びフローチャートであり、その使用方法は、以下を含む：
（１）クライアント１が駆動プログラム及びハードウエア設備を取り付ける。
（２）クライアント１がネットワーク伝送ツール２を利用してインターネット３に進入する。
（３）バーコードスキャナ２４を利用しバーコード４３をスキャンし、バーコード読み取りネットワークマルチメディア名刺整合システム４に接続する。
（４）クライアント１がバーコード読み取りネットワークマルチメディア名刺整合システム４において暗号４１をセルフ構築し並びにノーエラーを確認する。
（５）バーコード読み取りネットワークマルチメディア名刺整合システム４中に個人データ４４１を書き込み及びその他の機能設定を行う。
（６）登録手続完成。
【０００９】
図１、５、７に示されるように、まず、クライアント１が駆動プログラム及びハードウエア設備を設置すると共にネットワーク伝送ツール２でインターネット３に接続し、バーコードスキャナ２４でクライアント１の名刺のバーコード４３を読み取り、マルチメディア名刺を保存したホームページ整合ステーション４に接続する。バーコード読み取りネットワークマルチメディア名刺整合システム４はクライアント１を暗号４１でホームページに進入させて、個人データ４４１の登録及びその他の機能設定の改修を行わせることができる。上述のバーコード４３は名刺５に印刷され、且つ該バーコード４３の型式がネットワーク伝送ツール２の識別できるコード４２とされ、これにより快速検索且つ改修に便利なマルチメディア名刺機能を達成する。
【００１０】
また、該ネットワーク伝送ツール２はバーコードスキャナ２４及びインターネット接続用機器で組成され、このインターネット接続用機器が、パソコン２１、携帯情報端末２２、或いは無線電話２３或いはその他の電子装置を媒介として検索、改修の動作を行い、適用性が広い効果を達成する。
【００１１】
また、図５、６に示されるように、クライアント１が個人データを改修したい時は、ネットワーク伝送ツール２でオンラインして改修サービス項目を実行し、そのクライアント１が改修を行いたい時には、セルフ構築した暗号４１を入力し、並びにこのシステムが対照しノーエラーと確認した後でなければ、ホームページ４４に進入し改修を行うか或いはページ増加を行うことができず、これにより他人が悪意で個人内部データを破壊したり商業機密を盗むのを防止でき、安全性が良好な効果を達成する。
【００１２】
さらに、図２、３、４に示されるように、上述のホームページ４４のサービス項目は、個人データ４４１及び会社関係情報４４２の検索、メッセージメッセージボックス４４３の内容及び個人友人データベース４４４のチェックのサービス項目を含み、個人或いは他人がバーコードスキャナ２４でバーコード４３を読み取った後、このバーコード４３の所有者の個人データ４４１及び会社関係情報４４２を了解することができる。また、クライアント１が個人暗号４１を入力した後にホームページ４４に進入して改修を行うことができ、クライアント１に検索に便利な効果を提供する。
【００１３】
以上の実施例は本発明の実施範囲を限定するものではなく、本発明の明細書及び図面内容に基づきなしうる細部の修飾或いは改変は、いずれも本発明の請求範囲に属するものとする。
【００１４】
【発明の効果】
本発明の上述のバーコード読み取りネットワークマルチメディア名刺整合システムは使用時に、確実にその機能と目的を達成し、ゆえに本発明は誠に実用性に優れた発明であり、新規性、進歩性及び産業上の利用価値を有し、特許の要件に符合する。
【図面の簡単な説明】
【図１】本発明のブロック図である。
【図２】本発明の個人データホームページの表示図である。
【図３】本発明の会社関係情報ホームページの表示図である。
【図４】本発明のメッセージボックスホームページの表示図である。
【図５】本発明のフローチャートである。
【図６】本発明の使用フローチャートである。
【図７】本発明の好ましい実施例の構造図である。
【符号の説明】
１　クライアント
２　ネットワーク伝送ツール
２１　パソコン　　　　　　　　　　　２３　無線電話
２２　携帯情報端末　　　　　　　　　２４　バーコードスキャナ
３　インターネット
４　バーコード読み取りネットワークマルチメディア名刺整合システム
４１　暗号　　　　　　　　　　　　　４４１　個人データ
４２　コード　　　　　　　　　　　　４４２　会社関係情報
４３　バーコード　　　　　　　　　　４４３　メッセージボックス
４４　ホームページ　　　　　　　　　４４４　個人友人データベース
５　名刺
【図１】
2004038863.tif 000003
【図２】
2004038863.tif 000004
【図３】
2004038863.tif 000005
【図４】
2004038863.tif 000006
【図５】
2004038863.tif 000007
【図６】
2004038863.tif 000008
【図７】
2004038863.tif 000009